(57)【特許請求の範囲】
【請求項１】
電線の絶縁被覆が部分的に除去された箇所を修復するための、ヒンジタイプの電線絶縁カバーであって、
２つ割れのカバー本体部の長手方向の各片側が、互いにヒンジにより連結され、
前記片側の他の一方はカバー封止用のフックを、他方は前記カバー封止用のフックのフック孔をそれぞれ有し、
前記各片側のいずれか一方の内側には、前記電線の絶縁被覆が部分的に除去された箇所の両側の絶縁被覆の切断部の片側にそれぞれ独立して嵌合する２組の横ズレ防止用のフックを含み、
前記２組の横ズレ防止用のフックの各組は、２つの支持部から構成され、前記２つの支持部の各々は、前記絶縁被覆の切断部に嵌合する嵌合部と、前記絶縁被覆が部分的に除去された導体部の外径に対し自在に適合し把持する内面溝を具備し、
前記各組の２つの支持部は、前記嵌合部が互いに前記絶縁被覆の切断部の片側に嵌合し、前記内面溝が互いに前記導体部を把持する位置に、前記２つ割れのカバー本体部の内側の長手方向の中心線に対向して設置されることを特徴とする電線絶縁カバー。
【請求項２】
電線の絶縁被覆が部分的に除去された箇所を修復するための、ヒンジタイプの電線絶縁カバーであって、
２つ割れのカバー本体部の長手方向の各片側が、互いにヒンジにより連結され、
前記片側の他の一方はカバー封止用のフックを、他方は前記カバー封止用のフックのフック孔をそれぞれ有し、
前記各片側のいずれか一方の内側には、前記電線の絶縁被覆が部分的に除去された箇所の両側の絶縁被覆の切断部の片側にそれぞれ独立して嵌合する２組の横ズレ防止用のフックを含み、
前記２組の横ズレ防止用のフックの各組は、１つの支持部から構成され、前記１つの支持部は、前記絶縁被覆の切断部に嵌合する嵌合部と、前記絶縁被覆が部分的に除去された導体部の外径に対し自在に適合し把持する内面溝を具備し、
前記各組の１つの支持部は、前記嵌合部が互いに前記絶縁被覆の切断部の片側に嵌合し、前記内面溝が前記導体部を把持する位置に、前記２つ割れのカバー本体部の内側の長手方向の中心線に交差して設置されることを特徴とする電線絶縁カバー。
【請求項３】
電線の絶縁被覆が部分的に除去された箇所を修復するための、ヒンジタイプの電線絶縁カバーであって、
２つ割れのカバー本体部の長手方向の各片側が、互いにヒンジにより連結され、
前記片側の他の一方はカバー封止用のフックを、他方は前記カバー封止用のフックのフック孔をそれぞれ有し、
前記各片側のいずれか一方の内側には、前記電線の絶縁被覆が部分的に除去された箇所の両側の絶縁被覆の切断部の片側にそれぞれ独立して嵌合する２組の横ズレ防止用のフックを含み、
前記２組の横ズレ防止用のフックの各１組は、２つの支持部から構成され、いずれか一方の前記支持部は、前記絶縁被覆の切断部のいずれかと嵌合する嵌合部を具備し、２つの前記支持部のいずれも、前記絶縁被覆が部分的に除去された導体部の外径に対し自在に適合し把持する前記内面溝を具備し、
これら前記１組を構成する２つの支持部の嵌合部を具備する支持部は、前記絶縁被覆の切断部にそれぞれ嵌合し、且つ、前記２つの支持部が千鳥状に分かれて前記内面溝が互いに前記導体部を把持する位置に、前記２つ割れのカバー本体部の内側の長手方向の中心線を挟んで、又は交差して設置されることを特徴とする電線絶縁カバー。
【発明の詳細な説明】
【技術分野】
【０００１】
本発明は、絶縁電線の絶縁被覆が部分的に除去された箇所を再度絶縁処理する補修用カバーに係り、詳しくは、架線工事を行うため絶縁被覆が部分的に除去された箇所を、工事終了後修復するための、ヒンジタイプの電線絶縁カバーに関する。
【背景技術】
【０００２】
従来のヒンジタイプの電線絶縁カバーは、間接活線工法で使用する場合、先ず、作業時の落下を防止するため電線に仮固定した後、電線に挟み込み、カバー全体をフックにて固定しなければならなかった。このため、カバー内面に粘着層を設けて、その粘着力により仮固定すると共に、カバーの電線に対する横ズレを防止するもの、および、電線被覆剥取り溝に嵌合するリブを設け、その嵌合力により仮固定すると共に、カバーの電線に対する横ズレを防止するものがある。しかし、粘着層を設けたものについては雨天作業ができない、さらに再利用ができないという欠点があった。また、電線被覆剥取り溝に嵌合するリブを設けたものは、雨天作業ができ、且つ、再利用を可能とするが、リブと電線の被覆とによる嵌合力は比較的弱く、横ズレ防止には効果があるが、仮固定には十分とはいえなかった。
【０００３】
図８は、従来のヒンジタイプの電線絶縁カバーの構造及び封止図である。図８ａ−１において、従来の電線絶縁カバー２００−１の２つ割れのカバー本体部１０−１、２は、ヒンジ４０により結合されて開閉が自在に行え、フック３０およびフック孔３５により、２つ割れのカバー本体部１０−１、２が閉じられて固定される。またカバー本体部１０−１、２の内部には、電線の被覆部５３の外径に対応した複数の両面粘着テープ６０が設けられている。
【０００４】
図８ａ−２は、電線絶縁カバー２００−１が閉じられた状態を示し、２つ割れのカバー本体部１０−１、２が閉じられ、フック３０およびフック孔３５により固定されている。このとき両面粘着テープ６０は、それぞれ対となって対向している。図８ｂ−１は、横ズレ防止用の両面粘着テープ６０が、電線の被覆部５３に密着して、電線絶縁カバー２００−１が閉じられた状態を示している。図８ｂ−２は、両面粘着テープ６０が、それぞれ対となって対向し、電線の被覆部５３に密着した状態を示している。
【０００５】
図９は、従来のヒンジタイプの他の電線絶縁カバーの構造及び封止図である。図９ａ−１において、従来の他の電線絶縁カバー２００−２の２つ割れのカバー本体部１０−１、２は、ヒンジ４０により結合されて開閉が自在に行え、フック３０およびフック孔３５により、２つ割れのカバー本体部１０−１、２が閉じられて固定される。また本体部１０−１、２の内部には、電線被覆剥取り溝をなす電線の被覆部５３に嵌合する横ズレ防止用の複数のリブ７０が設けられている。
【０００６】
図９ａ−２は、他の電線絶縁カバー２００−２が閉じられた状態を示し、２つ割れのカバー本体部１０−１、２が閉じられ、フック３０およびフック孔３５により固定されている。このときリブ７０は、それぞれ対となって対向している。図９ｂ−１は、横ズレ防止用の複数のリブ７０が、電線被覆剥取り溝をなす電線の被覆部５３と嵌合し、電線の導体部５０に密着して、他の電線絶縁カバー２００−２が閉じられた状態を示している。図９ｂ−２は、リブ７０が、それぞれ対となって対向し、電線の導体部５０に密着した状態を示している。
【０００７】
図８、９から明らかなように、従来の電線絶縁カバー２００−１においては、両面粘着テープにより仮固定は可能であるが、雨天での作業ができず、さらに再利用ができないという欠点のほかに、電線の被覆部５３の外径に対してサイズの共用ができないという欠点があった。また、同様に、従来の他の電線絶縁カバー２００−２においては、再利用はできるものの、仮固定においては嵌合力が比較的弱いという欠点のほかに、電線の導体部５０の外径に対してサイズの共用ができないという欠点があった。
【０００８】
特許文献１には、略半筒状とされた両側一対のカバー部材１ａ・１ｂよりなり、該各カバー部材１ａ・１ｂはその長手方向に沿ってその一側がヒンジ２を介して開閉自在に連結されると共に、同他側が係着部材３・５を介して係着自在とされてなる電線補修用カバーであって、上記両側のカバー部材１ａ・１ｂ内周面にはその径方向に向けて弾性を有する所要数の縦突片８ａ・８ｂが各々対向状に突設されると共に、一方のカバー部材１ｂ内周面にはその長手方向に向けて該縦突片８ａ・８ｂに対応すべく横突片７が突設された構成よりなる、旨の記載がある。
【先行技術文献】
【特許文献】
【０００９】
【特許文献１】特開２００３−２６４９１７号公報
【発明の概要】
【発明が解決しようとする課題】
【００１０】
本発明は、このような問題を解決するためになされたものであり、その目的は、電線の導体部の外径に対し自在に適合し、横ズレ時の強度を確保でき、且つ、雨天における仮固定作業及び再利用が可能なヒンジタイプの電線絶縁カバーを提供する。
【課題を解決するための手段】
【００１１】
本発明の電線絶縁カバーは、電線の絶縁被覆が部分的に除去された箇所を修復するための、ヒンジタイプの電線絶縁カバーであって、２つ割れのカバー本体部の長手方向の各片側が、互いにヒンジにより連結され、前記片側の他の一方はカバー封止用のフックを、他方は前記カバー封止用のフックのフック孔をそれぞれ有し、前記各片側のいずれか一方の内側には、前記電線の絶縁被覆が部分的に除去された箇所の両側の絶縁被覆の切断部の片側にそれぞれ独立して嵌合する２組の横ズレ防止用のフックを含み、前記２組の横ズレ防止用のフックの各組は、２つの支持部から構成され、前記２つの支持部の各々は、前記絶縁被覆の切断部に嵌合する嵌合部と、前記絶縁被覆が部分的に除去された導体部の外径に対し自在に適合し把持する内面溝を具備し、前記各組の２つの支持部は、前記２つ割れのカバー本体部の内側の長手方向の中心線に対向して、前記嵌合部が互いに前記絶縁被覆の切断部の片側に嵌合し、前記内面溝が互いに前記導体部を把持する位置に設置されることを特徴とする。
【００１２】
本発明の電線絶縁カバーは、電線の絶縁被覆が部分的に除去された箇所を修復するための、ヒンジタイプの電線絶縁カバーであって、２つ割れのカバー本体部の長手方向の各片側が、互いにヒンジにより連結され、前記片側の他の一方はカバー封止用のフックを、他方は前記カバー封止用のフックのフック孔をそれぞれ有し、前記各片側のいずれか一方の内側には、前記電線の絶縁被覆が部分的に除去された箇所の両側の絶縁被覆の切断部の片側にそれぞれ独立して嵌合する２組の横ズレ防止用のフックを含み、２組の横ズレ防止用のフックの各組は、１つの支持部から構成され、前記１つの支持部は、前記絶縁被覆の切断部に嵌合する嵌合部と、前記絶縁被覆が部分的に除去された導体部の外径に対し自在に適合し把持する内面溝を具備し、前記各組の１つの支持部は、前記嵌合部が互いに前記絶縁被覆の切断部の片側に嵌合し、前記内面溝が前記導体部を把持する位置に、前記２つ割れのカバー本体部の内側の長手方向の中心線に交差して設置されることを特徴とする。
【００１３】
本発明の電線絶縁カバーは、電線の絶縁被覆が部分的に除去された箇所を修復するための、ヒンジタイプの電線絶縁カバーであって、２つ割れのカバー本体部の長手方向の各片側が、互いにヒンジにより連結され、前記片側の他の一方はカバー封止用のフックを、他方は前記カバー封止用のフックのフック孔をそれぞれ有し、前記各片側のいずれか一方の内側には、前記電線の絶縁被覆が部分的に除去された箇所の両側の絶縁被覆の切断部の片側にそれぞれ独立して嵌合する２組の横ズレ防止用のフックを含み、２組の横ズレ防止用のフックの各１組は、２つの支持部から構成され、いずれか一方の前記支持部は、前記絶縁被覆の切断部のいずれかと嵌合する嵌合部を具備し、２つの前記支持部のいずれも、前記絶縁被覆が部分的に除去された導体部の外径に対し自在に適合し把持する前記内面溝を具備し、これら前記１組を構成する２つの支持部の嵌合部を具備する支持部は、前記絶縁被覆の切断部にそれぞれ嵌合し、且つ、前記２つの支持部が千鳥状に分かれて前記内面溝が互いに前記導体部を把持する位置に、前記２つ割れのカバー本体部の内側の長手方向の中心線を挟んで、又は交差して設置されることを特徴とする。
【発明の効果】
【００１４】
本発明によれば、電線の導体部の外径に対し自在に適合し、横ズレ時の強度を確保でき、且つ、雨天における仮固定作業及び再利用が可能なヒンジタイプの電線絶縁カバーを提供することができる。
【図面の簡単な説明】
【００１５】
【図１】本発明の第１の実施例による絶縁電線カバーの構造及び嵌合、把持図。
【図２】本発明の第１の実施例による仮固定のプロセスを示す仮固定工程図。
【図３】本発明の第２の実施例による絶縁電線カバーの構造及び嵌合、把持図。
【図４】本発明の第２の実施例による仮固定のプロセスを示す仮固定工程図。
【図５】本発明の第３の実施例による絶縁電線カバーの構造及び嵌合、把持図。
【図６】本発明の第３の実施例による仮固定のプロセスを示す仮固定工程図。
【図７】本発明の第１−３の実施例による導体部の外径との対応を示す電線把持図。
【図８】従来のヒンジタイプの電線絶縁カバーの構造及び封止図。
【図９】従来のヒンジタイプの他の電線絶縁カバーの構造及び封止図。
【発明を実施するための形態】
【実施例】
【００１６】
本発明の実施の形態について、図を用いて説明する。図１は、本発明の第１の実施例による電線絶縁カバーの構造及び嵌合、把持図である。図１ａ−１において、電線絶縁カバー１００−１は、２つ割れのカバー本体部１０−１、２の長手方向に沿った片方の端部が、互いにヒンジ４０により連結されている。また、カバー本体部１０−２は、もう一方の端部にフック３０を、カバー本体部１０−２は、フック孔３５をそれぞれ有している。このフック３０及びフック孔３５は、カバー本体部１０−１、２が電線の絶縁被覆が部分的に除去された箇所に装着されて閉じられると、その状態を保持して固定する。
【００１７】
カバー本体部１０−２の内側には、図１ｂ−１において説明する電線の絶縁被覆が部分的に除去された箇所の各片側の絶縁被覆の切断部５５−１、２にそれぞれ嵌合する２組の横ズレ防止用のフック２０−１を有している。また、各１組の横ズレ防止用のフック２０−１は２つの支持部２３から構成され、各支持部２３は、絶縁被覆の切断部５５−１、２のいずれかと嵌合する嵌合部２５と、絶縁被覆が部分的に除去された導体部５０の外径に対し自在に適合し把持する内面溝２７（図１ａ−２）を具備している。
【００１８】
これら１組を構成する２つの支持部２３は、嵌合部２５が互いに絶縁被覆の切断部５５−１又は切断部５５−２にそれぞれ嵌合し、内面溝２７が互いに導体部５０を把持する位置に、２つ割れのカバー本体部１０−２の内側の長手方向の中心線に対向して設置されている。これにより、各嵌合部２５はそれぞれ絶縁被覆の切断部５５−１、２と精度よく嵌合し、カバー本体部１０−１、２の長手方向への横ズレに対する強度を確保することが可能となる。
【００１９】
図１ａ−２は、カバー本体部１０−１、２が閉じられて、フック３０及びフック孔３５により固定された状態を示している。上記において説明した通り、各１組を構成する２つの支持部２３の内面溝２７は、互いに対向して設置される。これにより、電線の導体部５０の外径を安定して把持することが可能となり、仮固定に要する十分な強度を得ることができる。
【００２０】
図１ｂ−１、２は、本発明の第１の実施例による電線絶縁カバーと電線との嵌合、把持状態を示している。各１組の横ズレ防止用のフック２０−１を構成する２つの支持部２３のそれぞれの嵌合部２５が互いに絶縁被覆の切断部５５−１、２の片側に嵌合（図１ｂ−１）し、それぞれの内面溝２７が互いに導体部５０を把持（図１ｂ−２）している。
【００２１】
図２は、本発明の第１の実施例による仮固定のプロセスを示す仮固定工程図である。図２ａにおいて、２組の横ズレ防止用のフック２０−１の各１組の２つの支持部２３の先端を、電線の導体部５０に突き当てて、各支持部２３の嵌合部２５と絶縁被覆の切断部５５−１又は切断部５５−２との位置決めする。図２ｂにおいて、位置決めが終了すると、電線絶縁カバー１００−１を電線に押し込む。押し込まれることにより、電線の導体部５０は２組の横ズレ防止用のフック２０−１を押し広げ、内面溝２７に把持されて仮固定される。この時、作業者の両手は開放され、横ズレに対する強度の確認など、点検項目のチェックを容易に行ことができる。図２ｃにおいて、チェックが終了すると、カバー本体部１０−１、２を閉じて、取り付け作業を終了する。
【００２２】
図３は、本発明の第２の実施例による電線絶縁カバーの構造及び嵌合、把持図である。図３ａ−１において、電線絶縁カバー１００−２は、２つ割れのカバー本体部１０−１、２の長手方向に沿った片方の端部が、互いにヒンジ４０により連結されている。また、カバー本体部１０−２は、もう一方の端部にフック３０を、カバー本体部１０−１は、フック孔３５をそれぞれ有している。このフック３０及びフック孔３５は、カバー本体部１０−１、２が電線の絶縁被覆が部分的に除去された箇所に装着されて閉じられると、その状態を保持して固定する。
【００２３】
カバー本体部１０−２の内側には、図３ｂ−１において説明する電線の絶縁被覆が部分的に除去された箇所の各片側の絶縁被覆の切断部５５−１、２にそれぞれ嵌合する２組の横ズレ防止用のフック２０−２を有している。また、２組の横ズレ防止用のフック２０−２は、絶縁被覆の切断部５５−１、２のいずれかと嵌合する嵌合部２５と、絶縁被覆が部分的に除去された導体部５０の外径に対し自在に適合し把持する内面溝２７（図２ａ−２）を具備している。
【００２４】
これら２組の横ズレ防止用のフック２０−２は、嵌合部２５が互いに絶縁被覆の切断部５５−１又は切断部５５−２にそれぞれ嵌合し、内面溝２７が互いに導体部５０を把持する位置に、２つ割れのカバー本体部１０−２の内側の長手方向の中心線に交差して設置されている。これにより、各嵌合部２５はそれぞれ絶縁被覆の切断部５５−１、２と精度よく嵌合し、カバー本体部１０−１、２の長手方向への横ズレに対する強度を確保することが可能となる。
【００２５】
図３ａ−２は、カバー本体部１０−１、２が閉じられて、フック３０及びフック孔３５により固定された状態を示している。上記において説明した通り、２組の横ズレ防止用のフック２０−２は、内面溝２７が互いに導体部５０を把持する位置に設置される。これにより、電線の導体部５０の外径を安定して把持することが可能となり、仮固定に要する十分な強度を得ることができる。
【００２６】
図３ｂ−１、２は、本発明の第２の実施例による電線絶縁カバーと電線との嵌合、把持状態を示している。各横ズレ防止用のフック２０−１のそれぞれの嵌合部２５が互いに絶縁被覆の切断部５５−１、２の片側に嵌合（図３ｂ−１）し、それぞれの内面溝２７が互いに導体部５０を把持（図３ｂ−２）している。
【００２７】
図４は、本発明の第２の実施例による仮固定のプロセスを示す仮固定工程図である。図４ａにおいて、２組の横ズレ防止用のフック２０−１の先端を、電線の導体部５０に突き当てて、各横ズレ防止用のフック２０−１の嵌合部２５と絶縁被覆の切断部５５−１又は切断部５５−２との位置決めする。図４ｂにおいて、位置決めが終了すると、電線絶縁カバー１００−１を電線に押し込む。電線の導体部５０は、押し込まれることにより２組の横ズレ防止用のフック２０−１を押し広げ、内面溝２７に把持されて仮固定される。この時、作業者の両手は開放され、横ズレに対する強度の確認など、点検項目のチェックを容易に行ことができる。図４ｃにおいて、チェックが終了すると、カバー本体部１０−１、２を閉じて、取り付け作業を終了する。
【００２８】
図５は、本発明の第３の実施例による電線絶縁カバーの構造及び嵌合、把持図である。図５ａ−１において、電線絶縁カバー１００−３は、２つ割れのカバー本体部１０−１、２の長手方向に沿った片方の端部が、互いにヒンジ４０により連結されている。また、カバー本体部１０−２は、もう一方の端部にフック３０を、カバー本体部１０−２は、フック孔３５をそれぞれ有している。このフック３０及びフック孔３５は、カバー本体部１０−１、２が電線の絶縁被覆が部分的に除去された箇所に装着されて閉じられると、その状態を保持して固定する。
【００２９】
カバー本体部１０−２の内側には、図５ｂ−１において説明する電線の絶縁被覆が部分的に除去された箇所の各片側の絶縁被覆の切断部５５−１、２にそれぞれ嵌合する２組の横ズレ防止用のフック２０−１を有している。また、各１組の横ズレ防止用のフック２０−１は２つの支持部２４から構成され、いずれか一方の支持部２４は、絶縁被覆の切断部５５−１、２のいずれかと嵌合する嵌合部２５を具備し、支持部２４のいずれも、絶縁被覆が部分的に除去された導体部５０の外径に対し自在に適合し把持する内面溝２７（図５ａ−２）を具備している。
【００３０】
これら１組を構成する２つの支持部２４の嵌合部２５を具備する支持部２４は、絶縁被覆の切断部５５−１又は切断部５５−２にそれぞれ嵌合し、且つ、２つの支持部２４が千鳥状に分かれて内面溝２７が互いに導体部５０を把持する位置に、２つ割れのカバー本体部１０−２の内側の長手方向の中心線を挟んで、又は交差して設置されている。これにより、各嵌合部２５はそれぞれ絶縁被覆の切断部５５−１、２と精度よく嵌合し、カバー本体部１０−１、２の長手方向への横ズレに対する強度を確保することが可能となる。
【００３１】
図５ａ−２は、カバー本体部１０−１、２が閉じられて、フック３０及びフック孔３５により固定された状態を示している。上記において説明した通り、各１組を構成する２つの支持部２３の内面溝２７は、千鳥状に分かれて設置されるが、実施例１、２と同様に電線の導体部５０の外径を安定して把持することが可能であり、仮固定に要する十分な強度を得ることができる。
【００３２】
図５ｂ−１、２は、本発明の第３の実施例による電線絶縁カバーと電線との嵌合、把持状態を示している。各横ズレ防止用のフック２０−１のそれぞれの嵌合部２５が互いに絶縁被覆の切断部５５−１、２の片側に嵌合（図５ｂ−１）し、それぞれの内面溝２７が互いに導体部５０を把持（図５ｂ−２）している。
【００３３】
図６は、本発明の第３の実施例による仮固定のプロセスを示す仮固定工程図である。図６ａにおいて、２組の横ズレ防止用のフック２０−１の先端を、電線の導体部５０に突き当てて、各嵌合部２５と絶縁被覆の切断部５５−１又は切断部５５−２との位置決めをする。図６ｂにおいて、位置決めが終了すると、電線絶縁カバー１００−３を電線に押し込む。押し込まれることにより、電線の導体部５０は２組の横ズレ防止用のフック２０−１を押し広げ、内面溝２７に把持されて仮固定される。この時、作業者の両手は開放され、横ズレに対する強度の確認など、点検項目のチェックを容易に行ことができる。図６ｃにおいて、チェックが終了すると、カバー本体部１０−１、２を閉じて、取り付け作業を終了する。
【００３４】
図７は、本発明の第１−３の実施例による電線の導体部の外径との対応を示す電線把持図である。図７ａ−１、２は本発明の第１の実施例、図７ｂ−１、２は本発明の第２の実施例、図７ｃ−１、２は本発明の第３の実施例における、電線の導体部の外径に対する横ズレ防止用のフックの開口量を示している。横ズレ防止用のフック２０−１、２、３は、外径が細い場合はほとんど開口せず（図７ａ−１、図７ｂ−１、図７ｃ−１）、太い場合は大きく開口して（図７ａ−２、図７ｂ−２、図７ｃ−２）導体部５０を把持している。横ズレ防止用のフック２０−１、２、３の開口の設定値は、最小サイズの電線の導体部に適合して十分な把持力が得られる開口寸法に、厚さｔは、最大サイズの電線の導体部に適合して変形による把持力の低下が起きない厚さ寸法に設定されている。
【００３５】
以上説明したように本発明によれば、電線の導体部の外径に対し自在に適合し、横ズレ時の強度を確保でき、且つ、雨天における仮固定作業及び再利用が可能なヒンジタイプの電線絶縁カバーを提供することができる。
【符号の説明】
【００３６】
１０−１、２  ２つ割れのカバー本体部
２０−１、２、３  横ズレ防止用のフック
２３、２４  支持部
２５  嵌合部
２７  内面溝
３０  カバー封止用のフック
３５  カバー封止用のフック孔
５０  電線の導体部
５３  電線の被覆部
５５−１、２  絶縁被覆の切断部
６０  両面粘着テープ
７０  リブ
１００−１  本発明の第１の実施例による絶縁電線カバー
１００−２  本発明の第２の実施例による絶縁電線カバー
１００−３  本発明の第３の実施例による絶縁電線カバー
２００−１  従来の電線絶縁カバー
２００−２  従来の他の電線絶縁カバー
ｔ  横ズレ防止用のフックの厚さ
【図１】
0005479879.tif 000002
【図２】
0005479879.tif 000003
【図３】
0005479879.tif 000004
【図４】
0005479879.tif 000005
【図５】
0005479879.tif 000006
【図６】
0005479879.tif 000007
【図７】
0005479879.tif 000008
【図８】
0005479879.tif 000009
【図９】
0005479879.tif 000010